【手続補正書】
【提出日】平成16年11月25日(2004.11.25)
【手続補正１】
【補正対象書類名】明細書
【補正対象項目名】全文
【補正方法】変更
【補正の内容】
【書類名】          明細書
【発明の名称】      遊技機
【特許請求の範囲】
【請求項１】
複数の図柄を変動表示する変動表示手段と、
ゲーム毎に内部当選役を決定する内部当選役決定手段と、
前記内部当選役決定手段の決定結果と遊技者の停止操作とに基づいて前記変動表示手段の変動表示動作を停止制御する停止制御手段と、
遊技者にとって有利な状況を発生させるか否かを決定する状況決定手段と、
前記有利な状況が発生した後、前記有利な状況が発生したことを報知するか否かを決定する報知決定手段と、
前記報知決定手段の決定結果に基づいて前記有利な状況が発生したことを報知する報知手段と
を備えたことを特徴とする遊技機。
【請求項２】
請求項１記載の遊技機において、前記報知決定手段は、乱数抽選の結果に基づいて前記報知を行うか否かを決定することを特徴とする遊技機。
【請求項３】
請求項１又は２記載の遊技機において、前記報知決定手段の決定結果が前記報知を行うとの決定であるとき、前記有利な状況が継続可能なゲームの回数を決定するゲーム回数決定手段を備え、前記報知手段又はこれとは別の報知手段により、前記ゲーム回数決定手段の決定結果を報知することを特徴とする遊技機。
【請求項４】
請求項３記載の遊技機において、前記有利な状況の終了条件は、前記ゲーム回数決定手段が前記有利な状況が継続可能なゲームの回数を決定した後に前記回数のゲームが行われたこと、又は前記内部当選役決定手段の決定結果が増加役を内部当選役として決定したことである遊技機。
【請求項５】
複数の図柄を変動表示する変動表示手段と、
ゲーム毎に内部当選役を決定する内部当選役決定手段と、
前記内部当選役決定手段の決定結果と遊技者の停止操作とに基づいて前記変動表示手段の変動表示動作を停止制御する停止制御手段と、
遊技者にとって有利な状況を発生させるか否かを決定する状況決定手段と、
前記有利な状況が継続可能なゲームの回数を前記有利な状況が発生した後において決定するゲーム回数決定手段と、
前記ゲーム回数決定手段の決定結果を報知する報知手段と
を備えたことを特徴とする遊技機。
【発明の詳細な説明】
【０００１】
【発明の属する技術分野】
本発明は、遊技に必要な図柄を変動表示する変動表示手段と、その変動表示を制御するマイクロコンピュータ等の制御手段とを備えたスロットマシン、パチンコ機その他の遊技機に関する。
【０００２】
【従来の技術】
例えば、停止ボタンを備えたスロットマシン、いわゆるパチスロ機は、正面の表示窓内に複数の図柄を変動表示する回転リールを複数配列して構成した機械的変動表示装置、或いはリール上の図柄を画面に表示する電気的変動表示装置を有する。遊技者のスタート操作に応じて、制御手段が変動表示装置を駆動制御して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にメダル、又はコイン等の遊技媒体を払出すことで遊技者に利益を付与する。
【０００３】
現在主流の機種は、複数種類の入賞態様を有するものである。特に、所定の入賞役の入賞が成立したときは、１回のメダルの払出しに終わらず、所定期間、通常の状態よりも条件の良い遊技状態となる。このような入賞役として、遊技者に相対的に大きい利益を与えるゲームを所定回数行える特別増加役（「ビッグボーナス」と称し、以下「ＢＢ」と略記する）と、遊技者に相対的に小さい利益を与えるゲームを所定回数行える入賞役（「レギュラーボーナス」と称し、以下「ＲＢ」と略記する）がある。
【０００４】
また、遊技に賭けられた単位遊技媒体当りに行うことが可能なゲームの回数を一定に保つ等の目的のために、入賞が成立すると遊技媒体を賭けることなく次のゲームを行うことが可能となる入賞役（以下「再遊技」という）が設けられた遊技機が現在の主流である。そして、この「再遊技」に内部当選する確率が高い期間（以下「高確率再遊技状態」という）を発生させる機能を備えた遊技機が提供されている。この「高確率再遊技状態」は、一般にＢＢの入賞成立を契機として発生する後述のＢＢ中一般遊技状態及びＲＢ遊技状態が終了したときに発生する。「高確率再遊技状態」の終了条件としては、「高確率再遊技状態」において「予め定められた回数のゲームを行ったこと」、「ゲーム毎に行われる終了抽選において当選したこと」等が採用されている。
【０００５】
【発明が解決しようとする課題】
しかしながら、「高確率再遊技状態」のような遊技者にとって有利な状況の発生の報知は、その有利な状況が発生したときに行われ、報知の時期が画一的である。また、遊技者はその報知の内容によって有利な状況が発生したか否かを認識するだけであり、面白味に欠ける。また、有利な状況の発生時には、有利な状況の終了条件としてゲーム回数等が予め決定されており、更に終了条件が報知されることも少なくない。従って、有利な状況の終了条件に対する遊技者の興味は、有利な状況が発生したときに失われてしまう。また、「予め定められた回数のゲームを行ったこと」という有利な状況の終了条件は、画一的であり面白味に欠ける。他方、「ゲーム毎に行われる終了抽選において当選したこと」という終了条件を採用した場合には、有利な状況が突然終了することから遊技者は安心して遊技を進めることができない。更に、有利な状況の発生時期は、一般にＢＢ一般遊技状態及びＲＢ遊技状態が終了したときであり、面白味に欠ける。
【０００６】
本発明の目的は、面白味のある遊技機を提供することである。
【０００７】
【課題を解決するための手段】
本発明の遊技機は、複数の図柄を変動表示する変動表示手段（例えば、後述のリール３Ｌ，３Ｃ，３Ｒ）と、ゲーム毎に内部当選役を決定する内部当選役決定手段（例えば、後述のＣＰＵ３１）と、内部当選役決定手段の決定結果と遊技者の停止操作とに基づいて変動表示手段の変動表示動作を停止制御する停止制御手段（例えば、後述の主制御回路７１）と、遊技者にとって有利な状況（例えば、後述の高確率再遊技状態）を発生させるか否かを決定する状況決定手段（例えば、後述のＣＰＵ３１）と、有利な状況が発生した後、有利な状況が発生したことを報知するか否かを決定する報知決定手段（例えば、後述のＣＰＵ３１）と、報知決定手段の決定結果に基づいて有利な状況が発生したことを報知する報知手段（例えば、後述の高確率再遊技告知ランプ２８）とを備えたことを特徴とする。
【０００８】
本発明の具体的態様では、報知決定手段は、乱数抽選の結果に基づいて報知を行うか否かを決定（例えば、後述のＳ７７及びＳ７８（図１８））することを特徴とする。
【０００９】
本発明の具体的態様では、報知決定手段の決定結果が報知を行うとの決定であるとき（例えば、後述の図１８のＳ７８の判別が“ＹＥＳ”）、有利な状況が継続可能なゲームの回数（例えば、後述の高確率再遊技規定ゲーム回数）を決定するゲーム回数決定手段（例えば、後述のＣＰＵ３１）が設けられ、報知手段又はこれとは別の報知手段（例えば、後述の液晶表示装置５）により、ゲーム回数決定手段の決定結果を報知する（例えば、後述の図１８のＳ８１）ことを特徴とする。
【００１０】
本発明の具体的態様では、有利な状況の終了条件は、ゲーム回数決定手段が有利な状況が継続可能なゲームの回数を決定（例えば、後述の図１８のＳ８０）した後に上記回数のゲームが行われたこと（例えば、後述の図１８のＳ７３の判別が“ＹＥＳ”）、又は内部当選役決定手段の決定結果が増加役（例えば、ＢＢ或いはＲＢ）を内部当選役として決定（例えば、後述の図１６のＳ４３の判別が“ＹＥＳ”）したことである。
【００１１】
本発明の別の態様では、複数の図柄を変動表示する変動表示手段と、ゲーム毎に内部当選役を決定する内部当選役決定手段と、内部当選役決定手段の決定結果と遊技者の停止操作とに基づいて変動表示手段の変動表示動作を停止制御する停止制御手段と、遊技者にとって有利な状況を発生させるか否かを決定する状況決定手段と、有利な状況が継続可能なゲームの回数を有利な状況が発生した後において決定するゲーム回数決定手段と、ゲーム回数決定手段の決定結果を報知する報知手段とを備えたことを特徴とする。
【００１２】
【作用及び効果】
本発明の遊技機では、報知決定手段は、有利な状況が発生した後、有利な状況が発生したことを報知するか否かを決定し、報知手段は、報知決定手段の決定結果に基づいて有利な状況が発生したことを報知する。報知手段は、有利な状況が発生した後で報知を行うので、遊技者は、停止操作に対応したリールの停止態様、或いは入賞役等によって有利な状況が発生したか否かを予想することができ、遊技の面白味が増す。また、有利な状況が発生したことに対する期待感を、例えば複数のゲームにわたって維持することもできる。
【００１３】
本発明の具体的態様によれば、報知決定手段は、乱数抽選の結果に基づいて報知を行うか否かを決定するので、報知のタイミングが画一的とならないことから遊技の面白味が増す。
【００１４】
また、報知決定手段の決定結果が報知を行うとの決定であるとき、すなわち有利な状況が発生した後、ゲーム回数決定手段は、有利な状況が継続可能なゲームの回数を決定し、その決定結果が報知される。従って、変動表示手段の停止態様等に基づいて有利な状況の発生を認識した後、遊技者は、上記回数の決定及び報知が行われるまでの間、有利な状況が継続可能なゲームの回数が多くなることに対する期待感をもちながら遊技を進めることができる。また、有利な状況が発生した後、ゲーム回数決定手段が上記決定を行うまでのゲームの回数が画一的でなく、有利な状況が継続可能な総ゲーム回数が変化に富むものとなり面白味が増す。また、ゲーム回数決定手段の決定結果の報知が行われた後のゲーム数を認識することにより、有利な状況の終了時期を把握することができるので、遊技者は安心して遊技を進めることができる。
【００１５】
また、有利な状況の終了条件として、ゲーム回数決定手段が有利な状況が継続可能なゲームの回数を決定した後に上記回数のゲームが行われたこと、又は内部当選役決定手段の決定結果が増加役を内部当選役として決定したことを採用することができる。
【００１６】
また、ゲーム回数決定手段は、有利な状況が継続可能なゲームの回数を有利な状況が発生した後において決定し、報知手段は、ゲーム回数決定手段の決定結果を報知する。従って、有利な状況の発生を認識した後、遊技者は、上記報知が行われるまでの間、有利な状況が継続可能なゲームの回数が多くなることに対する期待感をもちながら遊技を進めることができる。また、有利な状況が発生した後、ゲーム回数決定手段が上記決定を行うまでのゲームの回数が画一的でなく、有利な状況が継続可能な総ゲーム回数が変化に富むものとなり面白味が増す。また、ゲーム回数決定手段の決定結果の報知が行われた後のゲーム数を認識することにより、有利な状況の終了時期を把握することができるので、遊技者は安心して遊技を進めることができる。
【００１７】
【発明の実施の形態】
図１は、本発明の一実施例の遊技機１の外観を示す斜視図である。遊技機１は、いわゆる「パチスロ機」である。この遊技機１は、遊技媒体としてコイン、メダル又はトークンなどを用いて遊技する遊技機であるが、以下ではメダルを用いるものとして説明する。
【００１８】
遊技機１の全体を形成しているキャビネット２の正面には、略垂直面としてのパネル表示部２ａが形成され、その中央には縦長矩形の表示窓４Ｌ，４Ｃ，４Ｒが設けられる。表示窓４Ｌ，４Ｃ，４Ｒには、入賞ラインとして水平方向にトップライン８ｂ，センターライン８ｃ及びボトムライン８ｄ、斜め方向にクロスダウンライン８ａ及びクロスアップライン８ｅが設けられている。これらの入賞ラインは、後述の１−ＢＥＴスイッチ１１、２−ＢＥＴスイッチ１２、最大ＢＥＴスイッチ１３を操作すること、或いはメダル投入口２２にメダルを投入することにより、それぞれ１本、３本、５本が有効化される。どの入賞ラインが有効化されたかは、後で説明するＢＥＴランプ９ａ，９ｂ，９ｃの点灯で表示される。
【００１９】
キャビネット２の内部には、各々の外周面に複数種類の図柄によって構成される図柄列が描かれた３個のリール３Ｌ，３Ｃ，３Ｒが回転自在に横一列に設けられ、変動表示手段を形成している。各リールの図柄は表示窓４Ｌ，４Ｃ，４Ｒを通して観察できるようになっている。各リールは、定速回転（例えば８０回転／分）で回転する。
【００２０】
表示窓４Ｌ，４Ｃ，４Ｒの左側には、１−ＢＥＴランプ９ａ、２−ＢＥＴランプ９ｂ、最大ＢＥＴランプ９ｃ、クレジット表示部１９が設けられる。１−ＢＥＴランプ９ａ、２−ＢＥＴランプ９ｂ及び最大ＢＥＴランプ９ｃは、一のゲームを行うために賭けられたメダルの数（以下「ＢＥＴ数」という）に応じて点灯する。ここで、本実施例では、一のゲームは、全てのリールが停止したときに終了する。１−ＢＥＴランプ９ａは、ＢＥＴ数が“１”で１本の入賞ラインが有効化されたときに点灯する。２−ＢＥＴランプ９ｂは、ＢＥＴ数が“２”で３本の入賞ラインが有効化されたときに点灯する。最大ＢＥＴランプ９ｃは、ＢＥＴ数が“３”で全て（５本）の入賞ラインが有効化されたときに点灯する。クレジット表示部１９は、７セグメントＬＥＤから成り、貯留されているメダルの枚数を表示する。最大ＢＥＴランプ９ｃの上部には、複数のＬＥＤランプにより構成された高確率再遊技告知ランプ２８が設けられている。この高確率再遊技告知ランプ２８は、高確率再遊技状態が発生したことを報知するものであり、高確率再遊技状態が発生した後、点灯する。但し、高確率再遊技告知ランプ２８は、高確率再遊技状態が発生したときに常に点灯するものではない（後述の図１８のＳ７８）。
【００２１】
表示窓４Ｌ，４Ｃ，４Ｒの右側には、ＷＩＮランプ１７及び払出表示部１８が設けられる。ＷＩＮランプ１７は、ＢＢ又はＲＢに内部当選した場合、必ず点灯する。払出表示部１８は、７セグメントＬＥＤから成り、入賞成立時のメダルの払出枚数を表示する。
【００２２】
パネル表示部２ａの右側上部には、ボーナス遊技情報表示部２０が設けられる。ボーナス遊技情報表示部２０は、７セグメントＬＥＤから成り、後で説明するＢＢ中一般遊技状態におけるゲームの回数等を表示する。表示窓４Ｌ，４Ｃ，４Ｒの下方には水平面の台座部１０が形成され、その台座部１０と表示窓４Ｌ，４Ｃ，４Ｒとの間には液晶表示装置５が設けられている。この液晶表示装置５の表示画面５ａには、高確率再遊技状態が継続するゲームの回数等が表示される。図１の表示画面５ａには、上記ゲーム回数として“250回”と表示されている。
【００２３】
液晶表示装置５の右側にはメダル投入口２２が設けられ、液晶表示装置５の左側には、１−ＢＥＴスイッチ１１、２−ＢＥＴスイッチ１２、及び最大ＢＥＴスイッチ１３が設けられる。１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。これらのＢＥＴスイッチを操作することで、前述のとおり、所定の入賞ラインが有効化される。
【００２４】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切換えにより、正面下部のメダル払出口１５からメダルが払出され、払出されたメダルはメダル受け部１６に溜められる。Ｃ／Ｐスイッチ１４の右側には、遊技者の操作により上記リールを回転させ、表示窓４Ｌ，４Ｃ，４Ｒ内での図柄の変動表示を開始するためのスタートレバー６が所定の角度範囲で回動自在に取り付けられている。スタートレバー６を操作することにより一のゲームが開始する。
【００２５】
キャビネット２の上方の左右には、スピーカ２１Ｌ，２１Ｒが設けられ、その２台のスピーカ２１Ｌ，２１Ｒの間には、入賞図柄の組合せ及びメダルの配当枚数等を表示する配当表パネル２３が設けられている。台座部１０の前面部中央で、液晶表示装置５の下方位置には、３個のリール３Ｌ，３Ｃ，３Ｒの回転をそれぞれ停止させるための３個の停止ボタン７Ｌ，７Ｃ，７Ｒが設けられている。
【００２６】
図２は、各リール３Ｌ，３Ｃ，３Ｒに表わされた複数種類の図柄が２１個配列された図柄列を示している。各図柄には“００”〜“２０”のコードナンバーが付され、データテーブルとして後で説明するＲＯＭ３２（図８）に格納されている。各リール３Ｌ，３Ｃ，３Ｒ上には、“青７（図柄９１）”、“赤７（図柄９２）”、“BAR（図柄９３）”、“ベル（図柄９４）”、“プラム（図柄９５）”、“Replay（図柄９６）”及び“チェリー（図柄９７）”の図柄で構成される図柄列が表わされている。各リール３Ｌ，３Ｃ，３Ｒは、図柄列が図２の矢印方向に移動するように回転駆動される。
【００２７】
図３は、各遊技状態における入賞役の入賞成立を示す図柄組合せ及び払出枚数を示す。入賞役に対応する入賞成立を示す図柄組合せが示されていない欄に対応する遊技状態では、その入賞成立を実現できない。
【００２８】
ここで、遊技状態とは、一般に、ＢＢに内部当選しているか否か、或いはＢＢ又はＲＢが作動しているか否かによって区別するものである。なお、内部当選する可能性のある入賞役の種類、及び各入賞役に内部当選する確率は、いわゆる確率抽選テーブルによって定まるものであるが、一般に、確率抽選テーブルは、各遊技状態毎に設けられている。すなわち、同一の遊技状態のゲームでは、内部当選する可能性のある入賞役の種類及び各入賞役に内部当選する確率が同一となる。
【００２９】
実施例の遊技機（いわゆる「Ｂタイプ」の遊技機）では、遊技状態として通常の遊技状態である「一般遊技状態」、後述の再遊技の入賞が成立し易い遊技状態である「高確率再遊技状態」、ＢＢに内部当選することにより発生する「ＢＢ中一般遊技状態」、ＢＢの入賞成立を契機として発生する「ＢＢ中一般遊技状態」及び「ＲＢ遊技状態」がある。そして、ＢＢ又はＲＢの入賞が成立すること等により遊技状態が変化するようになっている。
【００３０】
一般遊技状態又は高確率再遊技状態においてＢＢに内部当選することにより遊技状態がＢＢ内部当選遊技状態となる（後述の図１６のＳ４８）。ＢＢの入賞が成立することにより、遊技状態がＢＢ中一般遊技状態となる（後述の図１５のＳ３５）。ＢＢ中一般遊技状態においてＲＢ（いわゆる「JAC  IN」）の入賞が成立することにより遊技状態がＲＢ遊技状態となる（後述の図１５のＳ３５）。ＲＢ遊技状態において“１２回”のゲームを消化すること、又は“８回”の入賞が成立することにより遊技状態がＢＢ中一般遊技状態となる（後述の図１５のＳ３５）。そして、ＢＢ中一般遊技状態において“３０回”のゲームを消化したとき又は“２回目”のＲＢ遊技状態の最後のゲームが終了したときに、遊技状態が一般遊技状態となる（後述の図１５のＳ３５）。また、一般遊技状態において高確率再遊技状態に当選する（後述の図１７のＳ６７の判別が“ＹＥＳ”）ことにより遊技状態が高確率再遊技状態となる（後述の図１７のＳ６８）。また、高確率再遊技状態において後述の高確率再遊技規定ゲーム回数が消化すること（後述の図１８のＳ７３の判別が“ＹＥＳ”）により、遊技状態が一般遊技状態となる（後述の図１８のＳ７４）。
【００３１】
図３に示すように、ＢＢの入賞は、ＢＢ内部当選遊技状態において“青７−青７−青７”又は“赤７−赤７−赤７”が有効ラインに沿って並ぶことにより成立し、１５枚のメダルが払出されると共に、次のゲームの遊技状態がＢＢ中一般遊技状態となる。ここで、実施例では、後述のように一般遊技状態又は高確率再遊技状態においてＢＢに内部当選したとき、遊技状態がＢＢ内部当選遊技状態となる（後述の図１６のＳ４８）。従って、一般遊技状態又は高確率再遊技状態においてＢＢの入賞が成立しないようにしている。
【００３２】
ＲＢの入賞は、ＢＢ中一般遊技状態において“Replay−Replay−Replay”が並ぶこと（一般に「JAC  IN」と称する）により成立する。
【００３３】
再遊技の入賞は、一般遊技状態、高確率再遊技状態、又はＢＢ内部当選遊技状態において“Replay−Replay−Replay”が並ぶことにより成立する。再遊技の入賞が成立すると、投入したメダルの枚数と同数のメダルが自動投入されるので、遊技者はメダルを消費することなく次のゲームを行うことができる。
【００３４】
また、一般遊技状態、高確率再遊技状態、及びＢＢ中一般遊技状態では、「ベルの小役」、「プラムの小役」又は「チェリーの小役」の入賞成立を実現することが可能であるが、その払出枚数は図示のとおりである。
【００３５】
役物の入賞は、ＲＢ遊技状態において“Replay−Replay−Replay”が並ぶことにより成立する。役物の入賞成立回数が“８回”となったとき、遊技状態が変化する。ここで、役物の入賞が成立する可能性のあるＲＢ遊技状態のゲームは、一般に「JACゲーム」と称される。
【００３６】
ここで、実施例では、ＢＢの入賞成立を契機として発生したＢＢ中一般遊技状態又はＲＢ遊技状態が終了したとき、及び高確率再遊技状態が終了して一般遊技状態となったとき、再遊技待ち期間が設けられる（後述の図１５のＳ３４及び図１８のＳ７５）。この再遊技待ち期間において再遊技に内部当選したとき、高い確率で高確率再遊技状態が発生するようになっている。この再遊技待ち期間は、再遊技に内部当選した後に終了する。また、「再遊技待ち期間」以外の一般遊技状態における各ゲームでは、高確率再遊技状態を発生させるか否かを後述の「設定値」に基づいて抽選しているが、高確率再遊技状態の発生確率は、再遊技待ち期間における発生確率と比較して低くなっている（後述の図１０）。再遊技待ち期間以外の期間を以下「通常期間」という。
【００３７】
図４は、ＢＥＴ数が“３”であり、後述の設定値が所定の値であるとき、各遊技状態において内部当選役を決定する際（後述の図１６のＳ４１）に使用する確率抽選テーブルを示す。
【００３８】
確率抽選テーブルには、各入賞役毎に内部当選となる乱数値の範囲が示されている。各入賞役に対して乱数値の範囲が示されていない欄に対応する遊技状態では、その入賞役に内部当選しないことを示す。例えば、ＲＢは、ＢＢ中一般遊技状態においてのみ内部当選する。
【００３９】
高確率再遊技状態において再遊技に内部当選する確率は、一般遊技状態のものと比較して高くなっている。具体的には、高確率再遊技状態では、確率抽選処理における乱数の抽出範囲“0”〜“16383”のうち、“484”〜“11405”の範囲内の乱数が抽出された場合に再遊技が内部当選役となる。再遊技に内部当選する確率は、“10922/16384”である。他方、一般遊技状態では、“484”〜“2824”の範囲内の乱数が抽出された場合に再遊技が内部当選役となる。再遊技に内部当選する確率は、“2341/16384”である。このように、高確率再遊技状態と一般遊技状態とでは、再遊技に内部当選する確率が大きく異なる。また、一般遊技状態及び高確率再遊技状態において、ＢＢに内部当選する確率は、共に“68/16384（約1/240）”である。一般遊技状態及び高確率再遊技状態ではＢＢに内部当選するが、その入賞が成立することはない。また、ＢＢに内部当選したときに発生するＢＢ内部当選遊技状態では、ＢＢの入賞が成立するまでの間、内部当選役としてＢＢを持ち越す（保持する）のでＢＢに内部当選することはない。
【００４０】
次に、図５〜図７を参照して各ゲームにおける内部当選役及びその入賞の成否に基づく遊技状態の変化、再遊技待ち期間と通常期間との間の変化、高確率再遊技状態を発生させるか否かの抽選のタイミング、高確率再遊技告知ランプ２８を点灯させるか否かの抽選のタイミング、高確率再遊技規定ゲーム回数の抽選のタイミング、及び高確率ゲーム可能回数の変化について説明する。高確率再遊技状態の抽選における「高確率」及び「低確率」は、夫々抽選において高確率再遊技状態の発生に当選する相対的な確率（具体的には“12288/16384”及び“5/16384”〜“21/16384”）を示す。高確率再遊技状態において再遊技に内部当選したゲームの抽選（後述の図１７のＳ６４）では「高確率」であり、通常期間におけるゲームの抽選（後述の図１７のＳ６６）では「低確率」である。高確率再遊技規定ゲーム回数は、その回数が決定された後において高確率再遊技状態が継続可能なゲームの回数（“50回”、“100回”又は“250回”（後述の図１１））を示す。この高確率再遊技規定ゲーム回数は、高確率再遊技告知ランプ２８を点灯させるか否かの抽選に当選したとき、決定される。高確率ゲーム可能回数は、高確率再遊技状態において行うことが可能なゲームの回数を示す。
【００４１】
初めに、図５を参照して説明する。
【００４２】
ゲーム（１）では、通常期間の一般遊技状態において「ベルの小役」に内部当選し、その入賞が成立している。このゲームの開始時において高確率再遊技状態を発生させるか否かの抽選（低確率）では、高確率再遊技状態に不当選となっている。
【００４３】
ゲーム（２）では、内部当選役は「なし（はずれ）」であり、高確率再遊技状態を発生させるか否かの抽選（低確率）では、不当選となっている。ゲーム（３）では、内部当選役が「チェリーの小役」であり、高確率再遊技状態を発生させるか否かの抽選（低確率）では、当選となっている。このため、ゲーム（３）の開始時において遊技状態が一般遊技状態から高確率再遊技状態へ変化している。高確率再遊技規定ゲーム回数を決定するための抽選は行われていない。ゲーム（３）の終了時には、「チェリーの小役」の入賞が成立している。
【００４４】
高確率再遊技状態におけるゲーム（４）及び（５）では、「再遊技」に内部当選し、その入賞が成立している。このゲーム（４）及び（５）の開始時における高確率再遊技告知ランプ２８を点灯させるか否かの抽選では、不当選となり、この告知ランプ２８は点灯していない。また、高確率再遊技規定ゲーム回数を決定するための抽選は行われていない。
【００４５】
高確率再遊技状態におけるゲーム（６）では、「再遊技」に内部当選し、その入賞が成立している。ゲーム（６）の開始時における高確率再遊技告知ランプ２８を点灯させるか否かの抽選では当選となり、この告知ランプ２８が点灯している。また、告知ランプ２８の点灯に当選しているので、高確率再遊技規定ゲーム回数を決定するための抽選が行われ、その回数は“250回”と決定されている。また、高確率ゲーム可能回数として“250回”がセットされている。
【００４６】
ゲーム（７）では、内部当選役は「なし（はずれ）」であり、そのゲームの終了時には、高確率ゲーム可能回数が“249回”となっている。ゲーム（８）では、「再遊技」に内部当選し、その入賞が成立している。ゲーム（８）の終了時には、高確率ゲーム可能回数が“248回”となっている。
【００４７】
次に、図６を参照して説明する。
【００４８】
初めに、ゲーム（１１）では、高確率再遊技状態において「再遊技」に内部当選し、その入賞が成立している。このゲーム（１１）の終了時において高確率ゲーム可能回数は、“１回”である。
【００４９】
高確率再遊技状態において開始したゲーム（１２）では、「再遊技」に内部当選し、その入賞が成立している。このゲーム（１２）の開始時には、前回のゲームの終了時において高確率ゲーム可能回数が“１回”であったことから、遊技状態が一般遊技状態へ変化すると共に、通常期間から再遊技待ち期間に変化している。また、高確率再遊技状態が終了したことから高確率再遊技告知ランプ２８が消灯している。
【００５０】
ここで、ゲーム（１２）の開始時において遊技状態が高確率再遊技状態へ変化しているが、この遊技状態の変化の前に内部当選役の決定が行われている。すなわち、このゲーム（１２）では、「再遊技」に内部当選し易い確率抽選テーブルが使用され、遊技者は、高確率再遊技状態であることの利益を享受し得る。また、このゲーム（１２）の開始時において、内部当選役の決定の後、通常期間から再遊技待ち期間に変化しているので、高確率再遊技状態を発生させるか否かの抽選は行われていない。
【００５１】
再遊技待ち期間におけるゲーム（１３）及び（１４）における内部当選役は「なし（はずれ）」及び「ベルの小役」であり、「再遊技」に内部当選していないことから高確率再遊技状態を発生させるか否かの抽選は行われていない。また、高確率再遊技状態が発生していないので、高確率ゲーム可能回数は、“０回”である。
【００５２】
再遊技待ち期間におけるゲーム（１５）では、内部当選役が「再遊技」であることからゲーム開始時において高確率再遊技状態を発生させるか否かの抽選（高確率）が行われ、この抽選に当選となり、遊技状態が高確率再遊技状態に変化している。また、再遊技に内部当選していることから再遊技待ち期間から通常期間へ変化している。
【００５３】
高確率再遊技状態におけるゲーム（１６）では、「再遊技」に内部当選し、その入賞が成立している。このゲーム（１６）の開始時における高確率再遊技告知ランプ２８を点灯させるか否かの抽選では、不当選となり、この告知ランプ２８は点灯していない。また、高確率再遊技規定ゲーム回数を決定するための抽選は行われていない。
【００５４】
高確率再遊技状態におけるゲーム（１７）では、「再遊技」に内部当選し、その入賞が成立している。ゲーム（１７）の開始時における高確率再遊技告知ランプ２８を点灯させるか否かの抽選では当選となり、この告知ランプ２８が点灯している。また、告知ランプ２８の点灯に当選しているので、高確率再遊技規定ゲーム回数を決定するための抽選が行われ、その回数は“50回”と決定されている。また、高確率ゲーム可能回数として“50回”がセットされている。ゲーム（１８）では、「再遊技」に内部当選し、そのゲームの終了時には、高確率ゲーム可能回数が“49回”となっている。ゲーム（１８）では、「再遊技」に内部当選し、その入賞が成立している。
【００５５】
次に、図７を参照して説明する。
【００５６】
初めに、ＲＢ遊技状態におけるゲーム（２１）及び（２２）では、「役物」に内部当選し、その入賞が成立している。ゲーム（２２）の終了時には、ＢＢの入賞成立を契機として発生したＢＢ中一般遊技状態及びＲＢ遊技状態が終了しているので、遊技状態が一般遊技状態へ変化すると共に、再遊技待ち期間が発生している。
【００５７】
再遊技待ち期間におけるゲーム（２３）〜（２５）では、「再遊技」に内部当選していないことから、高確率再遊技状態を発生させるか否かの抽選は行われていない。ゲーム（２６）では、「再遊技」に内部当選しているので高確率再遊技状態を発生させるか否かの抽選（高確率）が行われ、この抽選に不当選となっている。このため、遊技状態は変化せず、再遊技待ち期間が終了している。ゲーム（２７）及び（２８）では、高確率再遊技状態を発生させるか否かの抽選（低確率）が行われているが、その発生に不当選となっている。
【００５８】
図８は、遊技機１における遊技処理動作を制御する主制御回路７１と、主制御回路７１に電気的に接続する周辺装置（アクチュエータ）と、主制御回路７１から送信される制御指令に基づいて液晶表示装置５及びスピーカ２１Ｌ，２１Ｒを制御する副制御回路７２とを含む回路構成を示す。
【００５９】
主制御回路７１は、回路基板上に配置されたマイクロコンピュータ３０を主たる構成要素とし、これに乱数サンプリングのための回路を加えて構成されている。マイクロコンピュータ３０は、予め設定されたプログラムに従って制御動作を行うＣＰＵ３１と、記憶手段であるＲＯＭ３２及びＲＡＭ３３を含む。
【００６０】
ＣＰＵ３１には、基準クロックパルスを発生するクロックパルス発生回路３４及び分周器３５と、サンプリングされる乱数を発生する乱数発生器３６及びサンプリング回路３７とが接続されている。なお、乱数サンプリングのための手段として、マイクロコンピュータ３０内で、すなわちＣＰＵ３１の動作プログラム上で乱数サンプリングを実行するように構成してもよい。その場合、乱数発生器３６及びサンプリング回路３７は省略可能であり、或いは、乱数サンプリング動作のバックアップ用として残しておくことも可能である。
【００６１】
マイクロコンピュータ３０のＲＯＭ３２には、スタートレバー６を操作（スタート操作）する毎に行われる乱数サンプリングの判定に用いられる確率抽選テーブル等の各種抽選テーブル（図４、後述の図１０〜図１２）、停止ボタンの操作に応じてリールの停止態様を決定するための停止制御テーブル、副制御回路７２へ送信するための各種制御指令（コマンド）等が格納されている。このコマンドには、「デモ表示コマンド」、「内部当選役コマンド」、「全リール停止コマンド」、「入賞役コマンド」等がある。これらのコマンドについては後で説明する。
【００６２】
図８の回路において、マイクロコンピュータ３０からの制御信号により動作が制御される主要なアクチュエータとしては、各種ランプ（１−ＢＥＴランプ９ａ、２−ＢＥＴランプ９ｂ、最大ＢＥＴランプ９ｃ、ＷＩＮランプ１７、高確率再遊技告知ランプ２８）と、各種表示部（払出表示部１８、クレジット表示部１９、ボーナス遊技情報表示部２０）と、メダルを収納し、ホッパー駆動回路４１の命令により所定枚数のメダルを払出す遊技価値付与手段としてのホッパー（払出しのための駆動部を含む）４０と、リール３Ｌ，３Ｃ，３Ｒを回転駆動するステッピングモータ４９Ｌ，４９Ｃ，４９Ｒとがある。
【００６３】
更に、ステッピングモータ４９Ｌ，４９Ｃ，４９Ｒを駆動制御するモータ駆動回路３９、ホッパー４０を駆動制御するホッパー駆動回路４１、各種ランプを駆動制御するランプ駆動回路４５、及び各種表示部を駆動制御する表示部駆動回路４８がＩ／Ｏポート３８を介してＣＰＵ３１の出力部に接続されている。これらの駆動回路は、それぞれＣＰＵ３１から出力される駆動指令などの制御信号を受けて、各アクチュエータの動作を制御する。
【００６４】
また、マイクロコンピュータ３０が制御指令を発生するために必要な入力信号を発生する主な入力信号発生手段としては、スタートスイッチ６Ｓ、１−ＢＥＴスイッチ１１、２−ＢＥＴスイッチ１２、最大ＢＥＴスイッチ１３、Ｃ／Ｐスイッチ１４、投入メダルセンサ２２Ｓ、リール停止信号回路４６、リール位置検出回路５０、払出完了信号回路５１がある。これらも、Ｉ／Ｏポート３８を介してＣＰＵ３１に接続されている。更に、図示しない電源メインスイッチ、リセットスイッチ、及び設定用鍵型スイッチがＣＰＵ３１に接続されている。これらは、一般に“６段階”設けられ、メダルの出玉率を調整するための「設定値」の選択、電源の投入等に使用される。
【００６５】
スタートスイッチ６Ｓは、スタートレバー６の操作を検出する。投入メダルセンサ２２Ｓは、メダル投入口２２に投入されたメダルを検出する。リール停止信号回路４６は、各停止ボタン７Ｌ，７Ｃ，７Ｒの操作に応じて停止信号を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー４０から払出されたメダルの枚数）が指定された枚数データに達した時、メダル払出完了を検知するための信号を発生する。
【００６６】
図８の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数及びＲＯＭ３２内に格納されている確率抽選テーブルに基づいて、複数の内部当選役のいずれかが決定される。内部当選役が決定された後、「停止制御テーブル」を選択するために再び乱数のサンプリングが行われる。
【００６７】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００６８】
上記のようなリール３Ｌ，３Ｃ，３Ｒの回転位置とリール外周面上に描かれた図柄とを対応づけるために、図柄テーブルが、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００６９】
更に、ＲＯＭ３２内には、入賞図柄組合せテーブルが格納されている。この入賞図柄組合せテーブルでは、入賞となる図柄の組合せと、入賞のメダル配当枚数と、その入賞を表わす入賞判定コードとが対応づけられている。上記の入賞図柄組合せテーブルは、左のリール３Ｌ,中央のリール３Ｃ,右のリール３Ｒの停止制御時、及び全リール停止後の入賞確認を行うときに参照される。
【００７０】
上記乱数サンプリングに基づく抽選処理（確率抽選処理）により内部当選した場合には、ＣＰＵ３１は、遊技者が停止ボタン７Ｌ，７Ｃ，７Ｒを操作したタイミングでリール停止信号回路４６から送られる操作信号、及び選択された「停止制御テーブル」に基づいて、リール３Ｌ，３Ｃ，３Ｒを停止制御する信号をモータ駆動回路３９に送る。
【００７１】
内部当選した入賞役の入賞成立を示す停止態様となれば、ＣＰＵ３１は、払出し指令信号をホッパー駆動回路４１に供給してホッパー４０から所定個数のメダルの払出しを行う。その際、メダル検出部４０Ｓは、ホッパー４０から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー４０の駆動を停止し、「メダルの払出し処理」を終了する。
【００７２】
図９のブロック図は、副制御回路７２の構成を示す。副制御回路７２は、主制御回路７１からの制御指令（コマンド）に基づいて液晶表示装置５の表示制御及びスピーカ２１Ｌ，２１Ｒからの音の出力制御を行う。この副制御回路７２は、主制御回路７１を構成する回路基板とは別の回路基板上に構成され、マイクロコンピュータ（以下「サブマイクロコンピュータ」という）７３を主たる構成要素とし、液晶表示装置５の表示制御手段としての画像制御回路８１、スピーカ２１Ｌ，２１Ｒにより出音される音を制御する音源ＩＣ７８、及び増幅器としてのパワーアンプ７９で構成されている。
【００７３】
サブマイクロコンピュータ７３は、主制御回路７１から送信された制御指令に従って制御動作を行うサブＣＰＵ７４と、記憶手段としてのプログラムＲＯＭ７５と、ワークＲＡＭ７６とを含む。副制御回路７２は、クロックパルス発生回路、分周器、乱数発生器及びサンプリング回路を備えていないが、サブＣＰＵ７４の動作プログラム上で乱数サンプリングを実行するように構成されている。プログラムＲＯＭ７５は、サブＣＰＵ７４で実行する制御プログラムを格納する。ワークＲＡＭ７６は、上記制御プログラムをサブＣＰＵ７４で実行するときの一時記憶手段として構成される。
【００７４】
画像制御回路８１は、画像制御ＣＰＵ８２、画像制御ワークＲＡＭ８３、画像制御プログラムＲＯＭ８４、画像ＲＯＭ８６、ビデオＲＡＭ８７及び画像制御ＩＣ８８で構成される。画像制御ＣＰＵ８２は、サブマイクロコンピュータ７３で設定されたパラメータに基き、画像制御プログラムＲＯＭ８４内に格納する画像制御プログラムに従って液晶表示装置５での表示内容を決定する。画像制御プログラムＲＯＭ８４は、液晶表示装置５での表示に関する画像制御プログラムや各種選択テーブルを格納する。画像制御ワークＲＡＭ８３は、上記画像制御プログラムを画像制御ＣＰＵ８２で実行するときの一時記憶手段として構成される。画像制御ＩＣ８８は、画像制御ＣＰＵ８２で決定された表示内容に応じた画像を形成し、液晶表示装置５に出力する。画像ＲＯＭ８６は、画像を形成するためのドットデータを格納する。ビデオＲＡＭ８７は、画像制御ＩＣ８８で画像を形成するときの一時記憶手段として構成される。
【００７５】
次に、図１０を参照して高確率再遊技状態切り替え抽選テーブルについて説明する。この抽選テーブルは、後述の図１７のＳ６４及びＳ６６の処理において使用される。ここで、実施例の再遊技待ち期間では、再遊技に内部当選したゲームにおいてのみ、高確率再遊技状態を発生させるか否かの抽選を行うようにしている。
【００７６】
高確率再遊技状態切り替え抽選テーブルには、通常期間及び再遊技待ち期間に対応して高確率再遊技状態に当選となる乱数範囲が示されている。通常期間では、設定値が高い程、高確率再遊技状態に当選する確率が高くなっている。再遊技待ち期間では、高確率再遊技状態に当選となる確率は、設定値に拘らず“12288/16384”である。また、再遊技待ち期間において当選となる確率は、通常期間の確率と比較して高くなっている。
【００７７】
次に、図１１を参照して高確率再遊技規定ゲーム回数抽選テーブルについて説明する。この抽選テーブルは、後述の図１８のＳ８０の処理において使用される。高確率再遊技規定ゲーム回数抽選テーブルには、“50回”、“100回”及び“250回”の各々に当選となる乱数範囲が示されている。
【００７８】
次に、図１２を参照して高確率再遊技告知ランプ点灯抽選テーブルについて説明する。この抽選テーブルは、後述の図１８のＳ７７の処理において使用される。この抽選テーブルには、高確率再遊技告知ランプ２８に当選となる乱数範囲が示されている。
【００７９】
次に、主制御回路７１のＣＰＵ３１の制御動作について、図１３〜図１５に示すメインフローチャートを参照して説明する。
【００８０】
初めに、ＣＰＵ３１は、遊技開始時の初期化を行う（ステップ［以下、Ｓと表記する］１）。具体的には、ＲＡＭ３３の記憶内容の初期化、通信データの初期化等を行う。続いて、現在の「設定値」を示す「設定コマンド」を送信する（Ｓ２）。このコマンドは、“１”〜“６”のいずれかの値を示す。続いて、ゲーム終了時のＲＡＭ３３の記憶内容を消去する（Ｓ３）。具体的には、前回のゲームに使用されたＲＡＭ３３の書き込み可能エリアのデータの消去、ＲＡＭ３３の書き込みエリアへの次のゲームに必要なパラメータの書き込み、次のゲームのシーケンスプログラムの開始アドレスの指定等を行う。次に、前回のゲーム終了後、すなわち全リール３Ｌ，３Ｃ，３Ｒ停止後から３０秒経過したか否かを判別する（Ｓ４）。この判別が“ＹＥＳ”であれば、副制御回路７２に対し、「デモ画像」の表示を要求する「デモ表示コマンド」を送信する（Ｓ５）。
【００８１】
次に、ＣＰＵ３１は、メダルの自動投入の要求があるか、すなわち前回のゲームで再遊技の入賞が成立したか否かを判別する（Ｓ６）。この判別が“ＹＥＳ”のときは、投入要求分のメダルを自動投入し（Ｓ７）、Ｓ９の処理に移る。Ｓ６の判別が“ＮＯ”のときは、投入メダルセンサ２２Ｓ又はＢＥＴスイッチ１１，１２，１３からの入力があるか否かを判別する（Ｓ８）。この判別が“ＹＥＳ”のときは、Ｓ９の処理に移り、“ＮＯ”のときは、Ｓ４の処理に移る。
【００８２】
次に、ＣＰＵ３１は、スタートレバー６の操作に基づくスタートスイッチ６Ｓからの入力があるか否かを判別する（Ｓ９）。この判別が“ＹＥＳ”のときは前回のゲームが開始してから“4.1”秒経過しているか否かを判別し（Ｓ１０）、この判別が“ＹＥＳ”のときはＳ１２の処理に移り、“ＮＯ”のときはＳ１１の処理に移る。Ｓ１１の処理では、「ゲーム開始待ち時間消化処理」を行う。具体的には、前回のゲームが開始してから“4.1”秒経過するまでの間、遊技者のゲームを開始する操作に基づく入力を無効にする処理を行う。
【００８３】
次に、ＣＰＵ３１は、リールの回転処理を行い（Ｓ１２）、同時に抽選用の乱数を抽出し（Ｓ１３）、１ゲーム監視用タイマをセットする（Ｓ１４）。Ｓ１３の処理で抽出した乱数は、次に説明する確率抽選処理において使用される。Ｓ１４の処理の１ゲーム監視用タイマには、遊技者の停止ボタンの停止操作によらずに自動的にリールを停止させるための自動停止タイマが含まれる。
【００８４】
図１４のＳ１５の処理では、ＣＰＵ３１は、後述の図１６を参照して説明する確率抽選処理を行う。この確率抽選処理では、設定値、遊技状態に応じて確率抽選テーブル（図４）を使用し、乱数値がどの入賞役の乱数値範囲に属するか否かを判別し、内部当選役（成立フラグ）の決定等を行う。続いて、「内部当選役コマンド」を副制御回路７２へ送信する（Ｓ１６）。例えば、「確率抽選処理」において内部当選役を「ＢＢ」と決定することにより、「ＢＢ」に内部当選したことを示す「内部当選役コマンド」を送信する。
【００８５】
続いて、「メイン側演出選択処理」を行う（Ｓ１７）。この「メイン側演出選択処理」では、副制御回路７２が直接的に制御する液晶表示装置５における演出に関連する事項を決定する。例えば、全てのリールが停止した後に、表示画面５ａ上で継続して行われる演出の時間（以下「演出時間」という）を決定する。続いて、ＣＰＵ３１は、停止ボタンが“オン”かどうかを判別する（Ｓ１８）。具体的には、いずれかの停止ボタンが操作されたかどうかを判別する。この判別が“ＹＥＳ”のときは、Ｓ２０の処理に移り、“ＮＯ”のときは、Ｓ１９の処理に移る。Ｓ１９の処理では、自動停止タイマの値が“０”であるか否かを判別し、この判別が“ＹＥＳ”のときは、Ｓ２０の処理に移り、“ＮＯ”のときは、Ｓ１８の処理に移る。
【００８６】
Ｓ２０の処理では、ＣＰＵ３１は、内部当選役、図柄位置、停止制御テーブル等に基づいて滑りコマ数を決定する。ここで、「滑りコマ数」は、遊技者の遊技操作の技量を反映した指標の一例であり、停止ボタンが操作された後、リールが停止するまでの間に移動した図柄の数を示す。また、「滑りコマ数」は、停止ボタンが操作されたとき、所定の入賞ラインに位置していた図柄のコードナンバー（停止操作位置）と、実際にリールが停止したときに、その入賞ラインに停止した図柄のコードナンバー（停止制御位置）との差の絶対値により表わされる。この「滑りコマ数」は、「引き込み数」と称されることもある。続いて、滑りコマ数分、停止操作された停止ボタンに対応するリールを回転させてから停止させる（Ｓ２１）。
【００８７】
Ｓ２２の処理では、ＣＰＵ３１は、全てのリールが停止したかどうかを判別し、この判別が“ＹＥＳ”のときは、Ｓ２３の処理に移り、“ＮＯ”のときは、Ｓ１８の処理に移る。Ｓ２３の処理では、全てのリールが停止したことを示す「全リール停止コマンド」を送信し、図１５のＳ２４の処理に移る。
【００８８】
図１５のＳ２４の処理では、ＣＰＵ３１は入賞検索を行う。入賞検索とは、表示窓４Ｌ，４Ｃ，４Ｒの図柄の停止態様に基づいて入賞役を識別するための入賞フラグをセットすることである。具体的には、センターライン８ｃに沿って並ぶ図柄のコードナンバー及び入賞判定テーブルに基づいて入賞役を識別する。続いて、入賞フラグが正常であるか否かを判別する（Ｓ２５）。この判別が“ＮＯ”のときはイリーガルエラーの表示を行う（Ｓ２６）。この場合、遊技は中止となる。Ｓ２５の判別が“ＹＥＳ”のときは、遊技状態に応じてメダルのクレジット、又は払出しを行う（Ｓ２７）。続いて、入賞役及びメダルの払出し枚数を示す「入賞役コマンド」を送信する（Ｓ２８）。
【００８９】
次に、現在の遊技状態がＢＢ中一般遊技状態又はＲＢ遊技状態であるか否かを判別する（Ｓ２９）。この判別が“ＹＥＳ”のときは、ＢＢ又はＲＢの「遊技数チェック処理」を行う（Ｓ３０）。この「遊技数チェック処理」では、ＲＢ遊技状態が発生した回数、ＢＢ中一般遊技状態のゲーム回数、ＲＢ遊技状態における入賞回数、及びＲＢ遊技状態におけるゲーム回数をチェックする。
【００９０】
次に、ＢＢの入賞成立を契機として発生したＲＢ遊技状態及びＢＢ中一般遊技状態の終了時であるか否かを判別する（Ｓ３１）。具体的には、ＢＢの入賞が成立した後では、３回目のＲＢ遊技状態において入賞回数が８回又はゲーム回数が１２回であるか、又はＢＢ中一般遊技状態においてゲーム回数が３０回であるか否かを判別する。Ｓ３１の判別が“ＹＥＳ”のときは、後で説明するＳ３５の処理により通常の遊技状態である一般遊技状態へ戻ることからＲＡＭ３３内の所定の領域に格納されている情報をクリアする（Ｓ３２）。続いて、「ＢＢ終了コマンド」を副制御回路７２へ送信する（Ｓ３３）。「ＢＢ終了コマンド」は、ＢＢの入賞成立を契機として発生したＢＢ中一般遊技状態及びＲＢ遊技状態により構成される状況が終了したことを示す。続いて、ＢＢの入賞成立を契機として発生したＢＢ中一般遊技状態及びＲＢ遊技状態のいずれも終了しているので、再遊技待ち期間フラグをセットする。再遊技待ち期間フラグとは、現在再遊技待ち期間であるか否かを識別するために用いられる。このフラグがセットされているとき、再遊技待ち期間であり、セットされていないとき、通常期間である。フラグをセットするとは、“１”を示す情報を所定の記憶領域に格納することをいう。また、フラグをクリアするとは、“０”を示す情報を所定の記憶領域に格納することをいう。
【００９１】
次に、遊技状態変更処理を行う（Ｓ３５）。具体的には、ＢＢの入賞が成立したとき、遊技状態をＢＢ中一般遊技状態とする。ＲＢの入賞が成立したとき、遊技状態をＲＢ遊技状態とする。Ｓ３１の判別が“ＹＥＳ”のときは、遊技状態を一般遊技状態とする。次に、現在の遊技状態の情報を含む「遊技状態コマンド」を副制御回路７２へ送信する（Ｓ３６）。続いて、Ｓ３の処理に移る。
【００９２】
次に、図１６を参照して確率抽選処理について説明する。
【００９３】
初めに、ＣＰＵ３１は、遊技状態に応じて確率抽選テーブルをセットする（Ｓ４１）。具体的には、図４に示す確率抽選テーブルに含まれる情報のうち、現在の遊技状態において各入賞役に内部当選することとなる乱数範囲の情報をＲＡＭ３３に格納する。続いて、前述のＳ１３（図１３）の処理において抽出した乱数値、及びセットした確率抽選テーブルに基づいて内部当選役を決定する（Ｓ４２）。次に、今回のゲームでＢＢに内部当選したか否かを判別する（Ｓ４３）。この判別が“ＹＥＳ”のときは、Ｓ４８の処理に移り、“ＮＯ”のときは、Ｓ４４の処理に移る。
【００９４】
Ｓ４４の処理では、現在の遊技状態がＢＢ内部当選遊技状態であるか否かを判別する。この判別が“ＹＥＳ”のときは、図１４のＳ１６の処理に移り、“ＮＯ”のときは、Ｓ４５の処理に移る。Ｓ４５の処理では、現在の遊技状態がＢＢ中一般遊技状態であるか否かを判別する。この判別が“ＹＥＳ”のときは、Ｓ１６の処理に移り、“ＮＯ”のときは、Ｓ４６の処理に移る。Ｓ４６の処理では、現在の遊技状態がＲＢ遊技状態であるか否かを判別する。この判別が“ＹＥＳ”のときは、Ｓ１６の処理に移り、“ＮＯ”のときは、Ｓ４７の処理に移る。Ｓ４７の処理では、後述の図１７を参照して説明する高確率再遊技状態切り替え抽選処理を行い、Ｓ１６の処理に移る。ここで、Ｓ４７の処理は、一般遊技状態又は高確率再遊技状態のゲーム（ＢＢに内部当選したゲームを除く）において行われる。
【００９５】
今回のゲームでＢＢに内部当選し、Ｓ４３の判別が“ＹＥＳ”のときは、遊技状態をＢＢ内部当選遊技状態とする（Ｓ４８）。続いて、再遊技待ち期間フラグがセットされているか否かを判別する（Ｓ４９）。この判別が“ＹＥＳ”のときは、Ｓ５０の処理に移り、“ＮＯ”のときは、Ｓ５１の処理に移る。Ｓ５０の処理では、ＢＢに内部当選したことから再遊技待ち期間フラグをクリアし、Ｓ５１の処理に移る。Ｓ５１の処理では、高確率再遊技告知ランプ２８が点灯しているか否かを判別する。この判別が“ＹＥＳ”のときは、Ｓ５２の処理に移り、“ＮＯ”のときは、図１４のＳ１６の処理に移る。Ｓ５２の処理では、Ｓ４８の処理において遊技状態を変更したことから高確率再遊技告知ランプ２８を消灯し、Ｓ１６の処理に移る。
【００９６】
次に、図１７を参照して高確率再遊技状態切り替え抽選処理について説明する。ここで、前述のように、一般遊技状態又は高確率再遊技状態において高確率再遊技状態切り替え抽選処理が行われる。
【００９７】
初めに、ＣＰＵ３１は、再遊技待ち期間フラグがセットされているか、すなわち現在再遊技待ち期間であるか否かを判別する（Ｓ６１）。この判別が“ＹＥＳ”のときは、Ｓ６２の処理に移り、“ＮＯ”のときは、Ｓ６５の処理に移る。Ｓ６２の処理では、内部当選役が再遊技であるか否かを判別する。この判別が“ＹＥＳ”のときは、Ｓ６３の処理に移り、“ＮＯ”のときは、図１４のＳ１６の処理に移る。Ｓ６３の処理では、再遊技待ち期間フラグをクリアする。続いて、再遊技待ち期間において再遊技に内部当選したことから高確率再遊技状態切り替え抽選テーブル（再遊技待ち期間用）をセットする（Ｓ６４）。具体的には、図１０の再遊技待ち期間を示す欄の乱数範囲の情報をセットする。続いて、後述のＳ６７の処理に移る。
【００９８】
Ｓ６１の判別が“ＮＯ”のとき、すなわち再遊技待ち期間フラグがセットされていないときは、現在の遊技状態が一般遊技状態であるか否かを判別する（Ｓ６５）。この判別が“ＹＥＳ”のときは、Ｓ６６の処理に移り、“ＮＯ”のときは、Ｓ６９の処理に移る。Ｓ６６の処理では、高確率再遊技状態切り替え抽選テーブル（通常期間用）をセットする。具体的には、図１０の通常期間を示す欄の乱数範囲のうち、設定値に対応する乱数範囲の情報をセットする。続いて、Ｓ６７の処理に移る。
【００９９】
Ｓ６７の処理では、“0”〜“16383”の範囲から乱数を抽出し、高確率再遊技状態に当選したか否かを判別する。具体的には、前述のＳ６４又はＳ６６の処理においてセットされた乱数範囲の情報に基づいて判別する。例えば、Ｓ６４の処理において乱数範囲の情報がセットされ、抽出した乱数値が“0”のとき、高確率再遊技状態に当選と判別する。Ｓ６７の判別が“ＹＥＳ”のときは、遊技状態を高確率再遊技状態とし、図１４のＳ１６の処理に移る。Ｓ６７の判別が“ＮＯ”のときは、図１４のＳ１６の処理に移る。
【０１００】
Ｓ６５の判別が“ＮＯ”のとき、すなわち高確率再遊技状態であるときは、後で図１８を参照して説明する高確率再遊技規定ゲーム回数選択処理を行い、図１４のＳ１６の処理に移る。
【０１０１】
次に、図１８を参照して高確率再遊技規定ゲーム回数選択処理について説明する。この処理は、前述のように（図１７のＳ６５の判別が“ＮＯ”）高確率再遊技状態において行われる。
【０１０２】
初めに、ＣＰＵ３１は、高確率再遊技告知ランプ２８が点灯しているか否かを判別する（Ｓ７１）。この判別が“ＹＥＳ”のときは、Ｓ７２の処理に移り、“ＮＯ”のときは、Ｓ７７の処理に移る。Ｓ７２の処理では、高確率ゲーム可能回数カウンタの値から“１”減算する。高確率ゲーム可能回数カウンタとは、高確率ゲーム可能回数を計数するカウンタである。このカウンタには、高確率再遊技規定ゲーム回数がセットされる（後述のＳ８２）。続いて、高確率ゲーム可能回数が“0”であるか否かを判別する（Ｓ７３）。この判別が“ＹＥＳ”のときは、Ｓ７４の処理に移り、“ＮＯ”のときは、図１４のＳ１６の処理に移る。Ｓ７４の処理では、高確率ゲーム可能回数が“０”であることから高確率再遊技状態を終了し、遊技状態を一般遊技状態とする。続いて、再遊技待ち期間フラグをセットし（Ｓ７５）、高確率再遊技告知ランプ２８を消灯し（Ｓ７６）、図１４のＳ１６の処理に移る。
【０１０３】
Ｓ７１の判別が“ＮＯ”のとき、すなわち高確率再遊技告知ランプ２８が点灯していないときは、“0”〜“127”の範囲から乱数を抽出し、この乱数値、及び高確率再遊技告知ランプ点灯抽選テーブル（図１２）に基づいて、高確率再遊技告知ランプ２８を点灯させるか否かの抽選を行う（Ｓ７７）。続いて、高確率再遊技告知ランプ２８の点灯に当選か否かを判別する（Ｓ７８）。例えば、抽出した乱数値が“０”のとき、点灯に当選と判別する。Ｓ７８の判別が“ＹＥＳ”のときは、Ｓ７９の処理に移り、“ＮＯ”のときは、図１４のＳ１６の処理に移る。
【０１０４】
Ｓ７９の処理では、高確率再遊技告知ランプ２８を点灯する。続いて、“0”〜“255”の範囲から乱数を抽出し、高確率再遊技規定ゲーム回数の抽選を行う（Ｓ８０）。例えば、抽出した乱数値が“100”であるとき、高確率再遊技規定ゲーム回数として“50回”を選択する。続いて、Ｓ８０の処理で決定した高確率再遊技規定ゲーム回数の情報を含む規定ゲーム回数コマンドを副制御回路７２へ送信する。規定ゲーム回数コマンドを受信した副制御回路７２は、そのコマンドに含まれる情報に基づいて高確率再遊技規定ゲーム回数を表示画面５ａに表示するように液晶表示装置５を制御する。続いて、選択された高確率再遊技規定ゲーム回数を高確率ゲーム可能回数カウンタにセットし（Ｓ８２）、図１４のＳ１６の処理に移る。
【０１０５】
以上、実施例について説明したが、本発明はこれに限られるものではない。
【０１０６】
実施例では、有利な状況として高確率再遊技状態を採用して説明しているが、これに限られるものではなく、通常の「一般遊技状態」と比較して遊技者にとって有利な状況であればよい。例えば、基本的に遊技者のタイミングのみに基づいてリールの停止制御が行われる、すなわち停止操作位置と停止制御位置が一致することとなる状況（いわゆる「チャレンジタイム（ＣＴ）」）、「シングルボーナス」の入賞が成立しやすい状況（Ｓ・Ｂ高確率状態）、所定の入賞役に入賞しやすい状況（いわゆる「小役の集中」）であり、或いは差枚数カウンタ、高確率抽選テーブル、及び低確率抽選テーブルを備えたスロットマシンでは、「高確率抽選テーブルが使用される状況」等を採用するようにしてもよい。
【０１０７】
実施例では、内部当選役決定手段の決定結果である所定の結果として「再遊技」を採用しているが、これに限られるものではない。任意の入賞役等を採用することができる。また、例えば、所定の結果として内部当選する確率が低い入賞役を採用することもできる。この場合、有利な状況が発生した後、内部当選役決定手段の決定結果が所定の結果となるまでにある程度のゲーム数が必要となる。このため、有利な状況の総ゲーム数が変化に富むものとなり、遊技の面白味が増す。
【０１０８】
実施例では、内部当選役決定手段の決定結果が所定の結果となった回数として“１回”を採用し、再遊技に内部当選したときに再遊技待ち期間を終了するようにしているが、これに限られるものではない。すなわち、上記所定の回数は、任意に定めることができる。例えば、所定回数（例えば“７回”）再遊技に内部当選したとき、再遊技待ち期間が終了するようにしてもよい。
【０１０９】
また、実施例の再遊技待ち期間では、再遊技に内部当選したゲーム以外のゲームでは、高確率再遊技状態を発生させるか否かを決定する抽選をしないようにしているが、これに限られるものではなく、その抽選を行うこともできる。
【０１１０】
また、高確率再遊技規定ゲーム回数の抽選において、乱数値だけでなく、設定値に基づいてその回数を決定することもできる。
【０１１１】
また、有利な状況であることの報知をするか否かを乱数抽選によってのみ決定するようにしているが、内部当選役決定手段の決定結果に基づいて決定することもできる。
【０１１２】
また、実施例では、高確率再遊技告知ランプ２８の点灯により有利な状況の報知を行うようにしているが、この報知として有利な状況が継続可能なゲーム数の報知を採用することもできる。すなわち、上記ゲーム回数の報知が有利な状況が発生したことの報知を兼ねるようにすることもできる。
【０１１３】
また、実施例では、報知手段及び別の報知手段として高確率再遊技告知ランプ２８及び液晶表示装置５を用いているが、演出用のリール、模型等の動作物（いわゆる「役物」等）、音、光、ＬＥＤドットマトリクス等を用いるようにしてもよい。なお、変動表示手段及び報知手段を一の装置により実現するようにしてもよいし、それぞれを異なる装置により実現するようにしてもよい。例えば、いわゆる「液晶パチスロ」では、液晶表示装置により変動表示手段及び報知手段を実現することができる。
【０１１４】
更に、本実施例のようなスロットマシンの他、パチンコ遊技機等の他の遊技機にも本発明を適用できる。さらに、上述のスロットマシンでの動作を家庭用ゲーム機用として擬似的に実行するようなゲームプログラムにおいても、本発明を適用してゲームを実行することができる。その場合、ゲームプログラムを記録する記録媒体は、ＣＤ−ＲＯＭ、ＦＤ（フレキシブルディスク）、その他任意の記録媒体を利用できる。
【図面の簡単な説明】
【図１】
実施例のスロットマシンの斜視図。
【図２】
リール上に配列された図柄の例を示す図。
【図３】
入賞役と図柄組合せと払出枚数との関係を示す図。
【図４】
確率抽選テーブルの例を示す図。
【図５】
内部当選役及び入賞役による遊技状態の変化等の例を示す図。
【図６】
内部当選役及び入賞役による遊技状態の変化等の例を示す図。
【図７】
内部当選役及び入賞役による遊技状態の変化等の例を示す図。
【図８】
実施例の電気回路の構成を示すブロック図。
【図９】
実施例の副制御回路の構成を示すブロック図。
【図１０】
高確率再遊技状態切り替え抽選テーブルを示す図。
【図１１】
高確率再遊技規定ゲーム回数抽選テーブルを示す図。
【図１２】
高確率再遊技告知ランプ点灯抽選テーブルを示す図。
【図１３】
主制御回路のメインフローチャート。
【図１４】
図１３に続くフローチャート。
【図１５】
図１４に続くフローチャート。
【図１６】
確率抽選処理を示すフローチャート。
【図１７】
高確率再遊技状態切り替え抽選処理を示すフローチャート。
【図１８】
高確率再遊技規定ゲーム回数抽選処理を示すフローチャート。
【符号の説明】
１…遊技機、２…キャビネット、２ａ…パネル表示部、３Ｌ，３Ｃ，３Ｒ…リール、４Ｌ，４Ｃ，４Ｒ…表示窓、５…液晶表示装置、５ａ…液晶表示画面、６…スタートレバー、７Ｌ，７Ｃ，７Ｒ…停止ボタン、８ａ…クロスダウンライン、８ｂ…トップライン、８ｃ…センターライン、８ｄ…ボトムライン、８ｅ…クロスアップライン、９ａ…１−ＢＥＴランプ、９ｂ…２−ＢＥＴランプ、９ｃ…最大ＢＥＴランプ、１０…台座部、１１…１−ＢＥＴスイッチ、１２…２−ＢＥＴスイッチ、１３…最大ＢＥＴスイッチ、１４…Ｃ／Ｐスイッチ、１５…メダル払出口、１６…メダル受け部、１７…ＷＩＮランプ、１８…払出表示部、１９…クレジット表示部、２０…ボーナス遊技情報表示部、２１Ｌ，２１Ｒ…スピーカ、２２…メダル投入口、２２Ｓ…投入メダルセンサ、２３…配当表パネル、２８…高確率再遊技告知ランプ、３０…マイクロコンピュータ、３１…ＣＰＵ、３２…ＲＯＭ、３３…ＲＡＭ、３４…クロックパルス発生回路、３５…分周器、３６…乱数発生器、３７…サンプリング回路、３８…Ｉ／Ｏポート、３９…モータ駆動回路、４０…ホッパー、４１…ホッパー駆動回路、４５…ランプ駆動回路、４６…リール停止信号回路、４８…表示部駆動回路、４９Ｌ，４９Ｃ，４９Ｒ…ステッピングモータ、５０…リール位置検出回路、５１…払出完了信号回路、７１…主制御回路、７２…副制御回路、７３…サブマイクロコンピュータ、７４…サブＣＰＵ、７５…プログラムＲＯＭ、７６…ワークＲＡＭ、７７…ＩＮポート、７８…音源ＩＣ、７９…パワーアンプ、８０…ＯＵＴポート、８１…画像制御回路、８２…画像制御ＣＰＵ、８３…画像制御ワークＲＡＭ、８４…画像制御プログラムＲＯＭ、８５…ＩＮポート、８６…画像ＲＯＭ、８７…ビデオＲＡＭ、８８…画像制御ＩＣ。